(57)【特許請求の範囲】
【請求項１】
一対のカップ部と、
前記カップ部間にあり、
該カップ部を連結しワイヤーを封入したワイヤーチャネルが縫着された土台部と、
前記土台部から側方に延びるバック部と、
一端が前記カップ部の上端に取り付けられ、
他端が前記バック部の上縁に取り付けられたストラップとからなり、
前記ワイヤーチャネルは着用時に乳房の下縁部に対応する位置に設けられる
ブラジャーにおいて、
前記各カップ部の下縁と該ワイヤーチャネルの間に伸縮性素材を設け、
該伸縮性素材が該カップ部下縁と該ワイヤーチャネルに縫着され、
非伸縮性素材を有するリフトアップパーツが、
前記カップ部の表側又は肌側に設けられ、
該リフトアップパーツの上端部が、前記カップ部とストラップに縫着され、
内側縁部と外側縁部は、カップ部に縫着されずフリーであり、
該リフトアップパーツの下縁部が前記カップ部の下縁に該伸縮性素材を介し該ワイヤーチャネルから離れて縫着される
ことを特徴とするブラジャー。
【請求項２】
前記伸縮性素材は、メッシュテープであることを特徴とする、請求項１記載のブラジャー。
【発明の詳細な説明】
【技術分野】
【０００１】
本発明は、リフトアップパーツを取り付けたブラジャーに関する。
【背景技術】
【０００２】
ブラジャーには、リフトアップパーツが設けられ、バストを内側に寄せるものがある。
【先行技術文献】
【特許文献】
【０００３】
【特許文献１】特開平９−１３７３０５
【特許文献２】特開２００９−５７６４２
【発明の概要】
【発明が解決しようとする課題】
【０００４】
特許文献１に記載の発明では、リフトアップパーツが設けられているが、ワイヤーチャネルに縫いこまれているため、着用者の動作によってリフトアップパーツが持ち上げられると、ワイヤーが乳房の下縁部からずれることがある。特許文献２に記載の発明では、カップの下縁にワイヤーチャネルが縫着されていないが、リフトアップパーツが設けられていない。
本発明は、リフトアップパーツを設けても、着用時にワイヤーが乳房の下縁部からずれないようにしたものである。
【課題を解決するための手段】
【０００５】
一対のカップ部と、前記カップ部間にあり、該カップ部を連結しワイヤーを封入したワイヤーチャネルが縫着された土台部と、前記土台部から側方に延びるバック部と、一端が前記カップ部の上端に取り付けられ、他端が前記バック部の上縁に取り付けられたストラップとからなり、前記ワイヤーチャネルは着用時に乳房の下縁部に対応する位置に設けられるブラジャーにおいて、前記各カップ部の下縁と該ワイヤーチャネルの間に伸縮性素材を設け、該伸縮性素材が該カップ部下縁と該ワイヤーチャネルに縫着され、非伸縮性素材を有するリフトアップパーツが、前記カップ部の表側又は肌側に設けられ、該リフトアップパーツの上端部が、前記カップ部とストラップに縫着され、内側縁部と外側縁部は、カップ部に縫着されずフリーであり、該リフトアップパーツの下縁部が前記カップ部の下縁に該伸縮性素材を介し該ワイヤーチャネルから離れて縫着されることを特徴とするブラジャー。
【０００６】
また、前記伸縮性素材は、メッシュテープである。
【発明の効果】
【０００７】
請求項１記載の発明によれば、リフトアップパーツがワイヤーチャネルに縫着されていないため、着用者の動作によってリフトアップパーツが乳房を持ち上げる動きをしても、その力がワイヤーに働きにくく、ワイヤーが乳房の下縁部からずれることが少なくなる。従って、運動追随性がよく、安定した着用感が得られる。請求項２の発明によれば、カップ下の通気性がよくなり、肌が蒸れなくなる。
【図面の簡単な説明】
【０００８】
【図１】本発明の第１実施例の正面図である。
【図２】本発明の第１実施例の背面図である。
【図３】本発明のＡ−Ａ概略断面図である。
【発明を実施するための形態】
【実施例１】
【０００９】
図１に示されているのは、本発明の実施例であるブラジャー１である。ブラジャー１は、左右一対のカップ部２、カップ部２を連結する土台部３、土台部３から側方（図１中、左右方向）に延びる一対のバック部４、カップ部２の上端に一端が縫着され、バック部４の上縁に他端が縫着されている一対のストラップ５を有する。
【００１０】
カップ部２は３枚の生地を接ぐことによって立体感を出しており、クッション性と所定の厚さを有する生地２１及び生地２２と、表側生地と裏側生地の間に非伸縮性生地を設けた、伸び止め用のアームホール部２３からなる。カップ部２の表側には、レース２４を縫着している。なお、生地２２の肌側にはパッドポケット２５を縫着し、パッド２６を挿入できるようにしている。本実施例において、生地２１と生地２２は、ダブルラッセルを素材とし、アームホール部２３は、綿混メッシュを用いている。パッドポケット２５は綿混メッシュからなり、パッド２６はファイバーフィルを用いている。  
【００１１】
土台部３は、表側に伸縮性のあるレース３１、肌側にマーキゼット３２、マーキゼット３２に縫着されたワイヤーチャネル７を有し、非伸縮性生地であるマーキゼット３２によって全体の伸びを抑制している。さらに、カップ部２間においては、ワイヤーチャネル７間を非伸縮性テープ３３で連結し、マーキゼット３２の肌側下縁に沿って縫着された下辺テープＴと非伸縮性テープ３３の間に伸び止めテープ３４を縫着している。このようにして、土台部３のカップ間においては、より伸びを止めることにより、着用者の動作によってカップが必要以上に動くことを防止している。
【００１２】
カップ部２の下縁に沿って略Ｕ字形帯状の伸縮性を有するメッシュテープ６を縫着し、メッシュテープ６の下縁と土台部３のワイヤーチャネル７を縫着する。ワイヤーチャネル７の中には、不図示のワイヤーが封入されている。ワイヤーチャネル７の長さ方向の両端は土台部３にそれぞれ縫着され、ワイヤーの飛び出しを防いでいる。
【００１３】
バック部４は、表側下部に土台部３から延びる伸縮性レース３１、表側上部に、伸縮性レース３１より細幅の別の伸縮性レース４１、肌側にパワーネット等の伸縮性生地４２、肌側下縁部に土台部３から延びる下辺テープＴを有する。伸縮性レース３１と伸縮性レース４１は、ワイヤーチャネル７から後述の雌係止部８に至るまで連続して縫着され、表側部を成す。伸縮性レース４１と伸縮性生地４２は、それぞれの上縁部において縫着され、伸縮性レース３１、伸縮性生地４２は、それぞれの下縁部において下辺テープＴと共に縫着される。本実施例においては、下辺テープＴは、伸縮性生地４２より肌側に縫着される。
【００１４】
バック部４の長さ方向（図１中、左右方向）先端には、雌係止部８と雌係止部８と着脱可能に係合する不図示の雄係止部が縫着されている。
【００１５】
ストラップ５は、伸縮性のある素材からなり、そのカップ側端部がリフトアップパーツ９の上端部９Ａと共にカップ部２の上端部２Ａに縫着されている。また、ストラップ５のバック部側端部がバック部４の上縁の所定箇所に縫着されている。なお、ストラップ５のバック部側端部は、連結具を介してバック部４に取り付けてもよい。
【００１６】
リフトアップパーツ９は、非伸縮性素材を有し、本実施例においては、カップ側の綿混メッシュと肌側のナイリテストを縫着してなる。綿混メッシュが非伸縮性であることから、リフトアップパーツ９の伸びを抑制している。本実施例では、非伸縮性生地と伸縮性生地を縫着して伸びを抑制しているが、非伸縮性生地のみのリフトアップパーツ９であってもよい。また、リフトアップパーツ９は、必ずしも生地でなくともよく、非伸縮性を有するものであれば、他の素材であってもよい。
【００１７】
リフトアップパーツ９の上端部９Ａは、カップ部２の上端部２Ａとストラップ５のカップ側端部に縫着され、下縁部９Ｂは、その全長に亘ってカップ部２の下縁２Ｂに縫着される。リフトアップパーツ９の内側縁部９Ｃと外側縁部９Ｄは、カップに縫着されないでフリーの状態となっている。従って、ストラップ５を上方向（図２中、上方向）に引っ張る力が働くと、それに伴って、リフトアップパーツ９が若干上方に持ち上げられる。このとき、内側縁部９Ｃと外側縁部９Ｄは、カップに縫着されないでフリーの状態となっているので、リフトアップパーツ９が適切に伸びる。
【００１８】
さらに、ワイヤーチャネル７とカップ部２の下縁２Ｂは、伸縮性を有するメッシュテープ６を介して離れている。このため、リフトアップパーツ９が上方に引っ張られても、メッシュテープ６が上方に伸びることによって、リフトアップパーツ９を上方に引っ張る力がワイヤーチャネル７に伝わりにくく、ワイヤーチャネル７が動き難くなる。従って、ブラジャー１を着用したとき、着用者の動作によってワイヤーが乳房の下縁部から外れることが少なくなる。なお、この効果を得るには、ワイヤーチャネル７とリフトアップパーツ９が、所定幅離れていなければならない。メッシュテープ６を用いた場合、ワイヤーチャネル７とリフトアップパーツ９の下縁部９Ｂの距離が３ミリ以上１センチ以下であることが好ましい。すなわち、その程度離れていることにより、最適の効果を得ることができる。
【実施例２】
【００１９】
実施例１では、カップ部２の肌側にリフトアップパーツ９を取り付けたが、表側に取り付けることも可能である。この場合、リフトアップパーツ９の形状を変えることなく、実施例１と同様にカップ部２の表側に取り付ければよい。このようにすることにより、実施例１の場合と同様の効果を得ることができる。
【００２０】
なお、本発明は、上記の実施例のものに限定されないのは当然である。例えば、カップ部２を構成する生地は、実施例１のものと異なっていてもよい。実施例１では、３枚の生地を接いで立体感を形成したが、３枚でなくてもよいのは当然である。さらに、カップ２を構成するものは生地でなくともよく、例えば、ファイバーフィル、ポリウレタンシート、ポリウレタン成型カップ等であってもよい。また、カップ部２にパッドポケット２５を縫着したが、必ずしも必要ではない。
【００２１】
土台部３の構成は、実施例１と異なっていてもよい。例えば、肌側生地は、マーキゼットでなくとも非伸縮性生地であればよい。また、実施例１では、バック部４を２枚のレースから成る表側と、１枚の肌側生地から構成したが、これと同一でなくともよい。
【００２２】
実施例１では、カップ部２とワイヤーチェネル７の間に伸縮性のあるメッシュテープ６を介在させたが、伸縮性のある素材であれば、メッシュテープに限定されない。例えば、ツーウェイトリコット、サテンネット、伸縮性レース等であってもよい。なお、実施例１では、ワイヤーチャネル７とリフトアップパーツ９の下縁部９Ｂの距離が３ミリ以上１センチ以下とすることにより、最適の効果が得られるが、最適幅は各伸縮性素材の伸縮度により異なる。
【符号の説明】
【００２３】
１  ブラジャー
２  カップ部
３  土台部
４  バック部
５  ストラップ
６  メッシュテープ
７  ワイヤーチャネル
８  雌係止部
９  リフトアップパーツ
【図１】
0005991797.tif 000002
【図２】
0005991797.tif 000003
【図３】
0005991797.tif 000004